(57)【要約】【課題】プラズマディスプレイ装置などに使用される光学フィルタの取付構造に関して、部品点数と組立工数を削減することを目的としている。【解決手段】接触金具３を断面コ字型からなるレール状の板バネで構成し、、接触金具３の他方の側面に、千鳥状に切り起こされた複数の接触片３ｂを設け、同接触片３ｂと他方の側面に残された保持片３ｃとで光学フィルタ２の端部を挟持する構造とする。また、接触片３ｂと保持片３ｃとは光学フィルタ２に向かって湾曲した断面円弧状とする。さらに、光学フィルタ２の外周付近に複数の挿通孔２ｃを設け、接触片３ｂと保持片３ｃとに挿通孔２ｃと対応し、同挿通孔２ｃに向かって切り起こされた切起し３ｂ１、切起し３ｃ１とを設ける。【選択図】　図２
2004070029.tif 000002
【特許請求の範囲】
【請求項１】
ＰＤＰ（プラズマディスプレイパネル）を用いた表示装置の不要輻射の防止や色補正などを行なう光学フィルタをＰＤＰの表示面前面に付設する光学フィルタ取付構造において、
前記表示装置の後部を覆う有底状のリアカバーの開放口周囲にフランジ部と、一方の側面が前記フランジ部の対応する辺に固着され、他方の側面に千鳥状に切り起こされた複数の接触片を備え、同接触片と他方の側面である保持片とで前記光学フィルタの端部を挟持する断面コ字型からなるレール状の接触金具とを設け、
前記接触金具で前記光学フィルタの対向する辺をそれぞれ保持するとともに、前記リアカバーと前記光学フィルタの前面及び背面とが電気的に接続されてなることを特徴とする光学フィルタ取付構造。
【請求項２】
前記光学フィルタの外周付近に複数の挿通孔を設け、前記接触片およびまたは、前記保持片に前記挿通孔と対応し、同挿通孔に向かって切り起こされた切起しを設けてなることを特徴とする請求項１記載の光学フィルタ取付構造。
【請求項３】
前記接触片と前記保持片とは前記光学フィルタに向かって湾曲した断面円弧状の弾性部材からなることを特徴とする請求項１または請求項２記載の光学フィルタ取付構造。
【発明の詳細な説明】
【０００１】
【発明の属する技術分野】
本発明は、ＰＤＰを用いた表示装置の不要輻射の防止を行なう光学フィルタをＰＤＰの表示面前面に付設する光学フィルタ取付構造に関する。
【０００２】
【従来の技術】
従来、光学フィルタ取付構造は、例えば図４に示す構造となっている。
図４（Ａ）はＰＤＰを用いた表示装置の筐体構造を示した分解斜視図であり、見栄えをよくするため、プラスチックで成形された矩形の前面パネル８０と、不要輻射の防止や色補正などを行なう矩形の光学フィルタ８１と、同光学フィルタ８１を保持するともに、光学フィルタ８１の背面に張り付けられた金属箔または金属メッシュ（いずれも図示せず）と電気的に接続するための矩形のフロントケース８２と、表示装置の背面を覆い、有底状のリアカバー８３とで構成されている。
【０００３】
図４（Ｂ）に示すように鋼板からなるリアカバー８３の開放口周囲にフランジ部８３ａが延出して設けられており、このフランジ部８３ａには複数の挿通孔８３ｂが備えられている。一方、フロントケース８２は、断面コ字型の金属フレームで構成されており、背面にはフランジ部８３ａの挿通孔８３ｂと対応してネジ孔を備えている。そして、ネジ８４によりリアカバー８３とフロントケース８２とを螺着している。
また、フロントケース８２の前面には左右に複数のネジ孔が備えられており、光学フィルタ８１をフロントケース８２と挟持して固定するためのフィルタホルダ８５にネジ孔と対応して挿通孔が備えられている。
フィルタホルダ８５は断面略Ｚ字型の鋼板の金具であり、フィルタホルダ８５とフロントケース８２との間に光学フィルタ８１の周囲を配置し、ネジ８６によりフロントケース８２に螺着する。フロントケース８２とリアカバー８３とは金属であるため、固定された光学フィルタ８１背面の金属メッシュや金属箔は、フロントケース８２を介してリアカバー８３と電気的に接続される構造となっている。この構造によりＰＤＰやその駆動部、制御回路など（図示せず）を金属で包み込むことにより、内部からの不要輻射を防止している。
このフロントケース８２は、前面から前面パネル８０を嵌め込む構造になっており、フロントケース８２を覆い隠して見栄えをよくしている。
【０００４】
しかしながら、光学フィルタを固定するために、フロントケースとフィルタホルダが必要であるため組立工数がかかるという問題が有った。
【０００５】
【発明が解決しようとする課題】
本発明は以上述べた問題点を解決し、プラズマディスプレイ装置などに使用される光学フィルタの取付構造に関して、部品点数と組立工数を削減することを目的としている。
【０００６】
【課題を解決するための手段】
本発明は、上記問題点を解決するため、ＰＤＰ（プラズマディスプレイパネル）を用いた表示装置の不要輻射の防止や色補正などを行なう光学フィルタをＰＤＰの表示面前面に付設する光学フィルタ取付構造において、
前記表示装置の後部を覆う有底状のリアカバーの開放口周囲にフランジ部と、一方の側面が前記フランジ部の対応する辺に固着され、他方の側面に千鳥状に切り起こされた複数の接触片を備え、同接触片と他方の側面である保持片とで前記光学フィルタの端部を挟持する断面コ字型からなるレール状の接触金具とを設け、
前記接触金具で前記光学フィルタの対向する辺をそれぞれ保持するとともに、前記リアカバーと前記光学フィルタの前面及び背面とを電気的に接続する構造とする。
【０００７】
また、前記光学フィルタの外周付近に複数の挿通孔を設け、前記接触片およびまたは、前記保持片に前記挿通孔と対応し、同挿通孔に向かって切り起こされた切起しを設ける。
【０００８】
また、前記接触片と前記保持片とを前記光学フィルタに向かって湾曲した断面円弧状の弾性部材とする。
【０００９】
【発明の実施の形態】
以下、図面に基づいて本発明による光学フィルタ取付構造を詳細に説明する。図１は本発明による光学フィルタ取付構造の一実施例を示す分解斜視図、図２は要部を拡大した斜視図、図３は断面図である。
このプラズマディスプレイ装置は、見栄えをよくするため、プラスチックで成形された矩形の前面パネル１と、不要輻射の防止や色補正などを行なう矩形の光学フィルタ２と、同光学フィルタ２を両側から保持するともに、光学フィルタ２の前面および背面に張り付けられた金属メッシュ２ａに接続された金属箔２ｂと電気的に接続するための接触金具３と、プラズマディスプレイ装置の背面を覆い、有底状のリアカバー４とで構成されている。
【００１０】
図１に示すように鋼板からなるリアカバー４の開放口周囲にフランジ部４ａが延出して設けられており、このフランジ部４ａには複数の挿通孔４ｂが備えられている。
一方、接触金具３は図２に示すように、断面コ字型からなるレール状の板バネからなり、この接触金具３の対向する一方の側面は、リアカバー４のフランジ部４ａの対応する辺に当接し、フランジ部４ａの挿通孔４ｂと対応するネジ孔３ａにネジ５（図３参照）で螺着する構造となっている。
また、接触金具３の他方の側面には、千鳥状に切り起こされた複数の接触片３ｂを備えており、同接触片３ｂと他方の側面に残された保持片３ｃとで光学フィルタ２の端部を挟持する構造となっている。
このように、接触金具３で光学フィルタ２の対向する辺をそれぞれ保持するとともに、リアカバー４と光学フィルタ２の前面及び背面とが電気的に接続されるため、従来例で必要であったフィルタホルダと、その固定用のネジ、およびこれらの組立工数を削減できる。
【００１１】
また、図３（Ａ）に示すように、接触片３ｂと保持片３ｃとは光学フィルタ２に向かって湾曲した断面円弧状であり、前述のように接触金具３が弾性部材である板バネから構成されているため、光学フィルタ２を押圧して保持する。
このため、接触金具３に光学フィルタ２を差し込むだけの作業で装着でき、さらに、接触金具３を光学フィルタ２に装着したままリアカバー４への固定作業ができ、作業性が向上するとともに、接触金具３と光学フィルタ２の金属箔２ｂとの電気的な接触抵抗を低減させることができる。
【００１２】
さらに、図２と図３（Ｂ）、（Ｃ）に示すように、光学フィルタ２の外周付近に複数の挿通孔２ｃを設け、接触片３ｂと保持片３ｃとに挿通孔２ｃと対応し、同挿通孔２ｃに向かって切り起こされた切起し３ｂ１、切起し３ｃ１とを設けている。
この構造により、光学フィルタ２を接触金具３に差し入れたときに、切起し３ｂ１または、切起し３ｃ１が光学フィルタ２の挿通孔２ｃに嵌合するため光学フィルタ２の抜けを防止し、光学フィルタ２が接触金具３に確実に保持される。
なお、以上の例は光学フィルタ２を左右から接触金具３で保持する構造のみを記載しているが、光学フィルタ２を上下から保持する構造としてもよいし、上下および左右からの保持を同時に行なう構造としてもよい。
【００１３】
【発明の効果】
以上説明したように、本発明による光学フィルタ取付構造によれば、請求項１に係わる発明は、表示装置の後部を覆う有底状のリアカバーの開放口周囲にフランジ部と、一方の側面が前記フランジ部の対応する辺に固着され、他方の側面に千鳥状に切り起こされた複数の接触片を備え、同接触片と他方の側面である保持片とで光学フィルタの端部を挟持する断面コ字型からなるレール状の接触金具とを設け、接触金具で光学フィルタの対向する辺をそれぞれ保持するとともに、リアカバーと光学フィルタの前面及び背面とが電気的に接続する構造とすることにより、
従来例で必要であったフィルタホルダと、その固定用のネジ、およびこれらの組立工数を削減できる。
【００１４】
また、請求項２に係わる発明は、光学フィルタの外周付近に複数の挿通孔を設け、接触片およびまたは、保持片に挿通孔と対応し、同挿通孔に向かって切り起こされた切起しを設けることにより、
光学フィルタを接触金具に差し入れたときに、切起しが光学フィルタの挿通孔に嵌合するため光学フィルタの抜けを防止し、光学フィルタが接触金具に確実に保持される。
【００１５】
また、請求項３に係わる発明は、接触片と保持片とが光学フィルタに向かって湾曲した断面円弧状の弾性部材とすることにより、
接触金具に光学フィルタを差し込むだけで装着でき、さらに、接触金具を光学フィルタに装着したままリアカバーへの固定作業ができ、作業性が向上するとともに、接触金具と光学フィルタの金属箔との電気的な接触抵抗を低減させることができる。
【図面の簡単な説明】
【図１】本発明による光学フィルタ取付構造の一実施例を示す分解斜視図である。
【図２】本発明による光学フィルタ取付構造の一実施例を示す要部を拡大した斜視図である。
【図３】本発明による光学フィルタ取付構造の一実施例を示す上面から見た断面図であり、（Ａ）は挟持のみの場合、（Ｂ）および（Ｃ）は切起しで光学フィルタを挟持した場合である。
【図４】従来の光学フィルタ取付構造を示す（Ａ）は分解斜視図、（Ｂ）は上面から見た断面図である。
【符号の説明】
１　前面パネル
２　光学フィルタ
２ａ　金属メッシュ
２ｂ　金属箔
２ｃ　挿通孔
３　接触金具
３ａ　ネジ孔
３ｂ　接触片
３ｂ１　切起し
３ｃ　保持片
３ｃ１　切起し
４　リアカバー
４ａ　フランジ部
４ｂ　挿通孔
５　ネジ
【図１】
2004070029.tif 000003
【図２】
2004070029.tif 000004
【図３】
2004070029.tif 000005
【図４】
2004070029.tif 000006